(57)【要約】商品と組み合わせられ、当該商品に有効な商品コードを含むトランスポンダ（１０）は、当該商品が第１の商品位置領域から第２の商品位置領域への転送を通信局を含む安全状態稼動区域を介して受けるときに、第１の安全状態にセットされることができ、前記トランスポンダが前記転送によって前記第１の安全状態にセットされていたら、前記トランスポンダは第２の安全状態にセットされることができる。第２の安全状態にセットされたトランスポンダ（１０）は、永久停止されることができる。
2005524179.tif 000002
【特許請求の範囲】
【請求項１】
トランスポンダを望ましくない操作から保護する方法において、前記トランスポンダは、商品と組み合わせられ、当該商品に有効な商品コードを含み、通信局とのワイヤレス通信用に構成され、当該方法で、少なくとも１つの状態変化が実行され、第１の状態変化を伴う当該方法の第１のステップの最中に、前記トランスポンダは、前記商品が第１の商品位置領域から第２の商品位置領域への転送を通信局を含む安全状態稼動区域を介して受けるときに、初期状態から第１の安全状態にセットされ、更に当該方法で、前記トランスポンダが前記転送によって前記第１の安全状態にセットされていたら、第２の状態変化が実行される当該方法の第２のステップの最中に、所望なら、前記トランスポンダは第２の安全状態にセットされる、方法。
【請求項２】
請求項１に記載の方法において、前記状態変化は、前記通信局によって前記トランスポンダに適用されるコマンドによって開始される、方法。
【請求項３】
請求項１に記載の方法において、当該方法の前記第１のステップは、保護された環境を規定する販売時点管理（ＰＯＳ）端末で実行される、方法。
【請求項４】
請求項１に記載の方法において、当該方法の前記第１のステップの最中に暗号化手順が実行される、方法。
【請求項５】
請求項１に記載の方法において、前記トランスポンダは、前記トランスポンダが永久に停止させられる第２の安全状態にセットされる、方法。
【請求項６】
請求項１に記載の方法において、前記トランスポンダが第１の安全状態にセットされる前記第１の状態変化の実行の際に、前記トランスポンダの記憶部分の書込み保護は停止され、前記トランスポンダは、所望なら、前記第１の安全状態から、前記トランスポンダの記憶部分の書込み保護が稼動される第２の安全状態にセットされる、方法。
【請求項７】
請求項４に記載の方法において、前記トランスポンダは、所望なら、前記第２の安全状態から他の安全状態にセットされる、方法。
【請求項８】
商品と組み合わせられることを意図され、通信局とのワイヤレス通信用に構成され、前記商品に有効な商品コードを記憶するための記憶手段を含むトランスポンダにおいて、少なくとも１つの状態変化を実行するよう構成され、第１の状態変化手段を含み、当該第１の状態変化手段により、前記トランスポンダは、前記トランスポンダと組み合わせられた前記商品が第１の商品位置領域から第２の商品位置領域に通信局を含む安全状態稼動区域を介して転送されたら、初期状態から第１の安全状態にセットされることができ、更に第２の状態変化手段を含み、当該第２の状態変化手段により、前記トランスポンダは、前記トランスポンダが前記第１の安全状態にセットされていたら第２の安全状態にセットされることができる、トランスポンダ。
【請求項９】
請求項８に記載のトランスポンダにおいて、前記状態変化を実行するコマンドを受信するためのコマンド受信手段を備えたトランスポンダ。
【請求項１０】
請求項８に記載のトランスポンダにおいて、前記通信局によって実行されることができる暗号化手順によって生成されることができる暗号化結果の記憶のために構成される暗号化結果記憶手段を備えたトランスポンダ。
【請求項１１】
請求項８に記載のトランスポンダにおいて、前記トランスポンダの永久停止のための抑制手段を備えたトランスポンダ。
【請求項１２】
商品と組み合わせられることを意図され、通信局とのワイヤレス通信用に構成されるトランスポンダ用に構成され、前記商品に有効な商品コードを記憶するための記憶手段を含む集積回路において、少なくとも１つの状態変化を実行するよう構成され、第１の状態変化手段を含み、当該第１の状態変化手段により、前記集積回路は、前記トランスポンダと組み合わせられた前記商品が第１の商品位置領域から第２の商品位置領域に通信局を含む安全状態稼動区域を介して転送されたら、初期状態から第１の安全状態にセットされることができ、更に第２の状態変化手段を含み、当該第２の状態変化手段により、前記集積回路は、前記集積回路が前記第１の安全状態にセットされていたら第２の安全状態にセットされることができる、集積回路。
【請求項１３】
請求項１２に記載の集積回路において、前記状態変化を実行するコマンドを受信するためのコマンド受信手段を備えた集積回路。
【請求項１４】
請求項１２に記載の集積回路において、前記通信局によって実行されることができる暗号化手順によって生成されることができる暗号化結果の記憶のために構成される暗号化結果記憶手段を備えた集積回路。
【請求項１５】
請求項１２に記載の集積回路において、前記トランスポンダの永久停止のための抑制手段を備えた集積回路。
【発明の詳細な説明】
【技術分野】
【０００１】
本発明は、トランスポンダを望ましくない操作から保護する方法であって、前記トランスポンダは、商品と組み合わせられ、当該商品に有効な商品コードを含み、通信局とのワイヤレス通信用に構成される、方法に関する。
【０００２】
本発明は、商品と組み合わせられることを意図され、通信局とのワイヤレス通信用に構成され、前記商品に有効な商品コードを記憶するための記憶手段を含むトランスポンダにも関する。
【０００３】
本発明は、商品と組み合わせられることを意図され、通信局とのワイヤレス通信用に構成されるトランスポンダ用に構成され、前記商品に有効な商品コードを記憶するための記憶手段を含む集積回路にも関する。
【背景技術】
【０００４】
上記の種類の方法、上記の種類のトランスポンダ及び上記の種類の集積回路との関連で、本出願人は、商品コードが記憶手段から読み取られることができる保護方法を知っている。有効な商品コードの無許可の読取りは当然望ましくないものであり、従って、このような読取りを防止することができる。これに関連して、読取りの停止又は抑制は、トランスポンダとの通信のための通信局によって実現されることができる。このような停止は、濫用を避けるためにパスワード又は暗号コードによって保護されている。この保護方法は、パスワードと有効な商品コードとの間の因果関係に関連し、そのため、パスワードは、商品の顧客、購入者又は所有者に転送されなければならない。このようなパスワードの使用は、パスワードが「クラッキング」されて認証無しに用いられることができるようになる危険性を伴う。特にこの場合、このようなクラッキングは、この関連するパスワードを公衆に知らせることが好まれ、従って、非常に悪い結果を与える。このようなパスワードの使用の安全性は、このようなパスワードを生成するために用いられるアルゴリズムの複雑性によって向上されうる。しかしこのとき、アルゴリズムを実行するために用いられる手段の複雑性は同じ程度増加し、これは中でも、上記手段が例えばトランスポンダ又はトランスポンダの集積回路中のマイクロコンピュータと関係するとき、より大きな計算量を意味する。より厳しい要件は、究極的には、トランスポンダのための集積回路の表面積及び／又は集積度がより多く必要とされる結果となり、これは、より多くの労力及びより高いコストを必要とするため不利である。
【発明の開示】
【発明が解決しようとする課題】
【０００５】
本発明の目的は、上述の欠点を解消し、改善された方法、改善されたトランスポンダ及び改善された集積回路を実現することである。
【課題を解決するための手段】
【０００６】
上記目的を達成するために、本発明による方法は、本発明による特徴が与えられ、本発明による方法は以下のように特徴付けられることができる。
【０００７】
トランスポンダを望ましくない操作から保護する方法において、前記トランスポンダは、商品と組み合わせられ、当該商品に有効な商品コードを含み、通信局とのワイヤレス通信用に構成され、当該方法で、少なくとも１つの状態変化が実行され、第１の状態変化を伴う当該方法の第１のステップの最中に、前記トランスポンダは、前記商品が第１の商品位置領域から第２の商品位置領域への転送を通信局を含む安全状態稼動区域を介して受けるときに、初期状態から第１の安全状態にセットされ、更に当該方法で、前記トランスポンダが前記転送によって前記第１の安全状態にセットされていたら、第２の状態変化が実行される当該方法の第２のステップの最中に、所望なら、前記トランスポンダは第２の安全状態にセットされる、方法。
【０００８】
上記目的を達成するために、本発明によるトランスポンダは、本発明による特徴が与えられ、本発明によるトランスポンダは以下のように特徴付けられることができる。
【０００９】
商品と組み合わせられることを意図され、通信局とのワイヤレス通信用に構成され、前記商品に有効な商品コードを記憶するための記憶手段を含むトランスポンダにおいて、少なくとも１つの状態変化を実行するよう構成され、第１の状態変化手段を含み、当該第１の状態変化手段により、前記トランスポンダは、前記トランスポンダと組み合わせられた前記商品が第１の商品位置領域から第２の商品位置領域に通信局を含む安全状態稼動区域を介して転送されたら、初期状態から第１の安全状態にセットされることができ、更に第２の状態変化手段を含み、当該第２の状態変化手段により、前記トランスポンダは、前記トランスポンダが前記第１の安全状態にセットされていたら第２の安全状態にセットされることができる、トランスポンダ。
【００１０】
上記目的を達成するために、本発明による集積回路は、本発明による特徴が与えられ、本発明による集積回路は以下のように特徴付けらることができる。
【００１１】
商品と組み合わせられることを意図され、通信局とのワイヤレス通信用に構成されるトランスポンダ用に構成され、前記商品に有効な商品コードを記憶するための記憶手段を含む集積回路において、少なくとも１つの状態変化を実行するよう構成され、第１の状態変化手段を含み、当該第１の状態変化手段により、前記集積回路は、前記トランスポンダと組み合わせられた前記商品が第１の商品位置領域から第２の商品位置領域に通信局を含む安全状態稼動区域を介して転送されたら、初期状態から第１の安全状態にセットされることができ、更に第２の状態変化手段を含み、当該第２の状態変化手段により、前記集積回路は、前記集積回路が前記第１の安全状態にセットされていたら第２の安全状態にセットされることができる、集積回路。
【００１２】
本発明による特徴を提供することによって、トランスポンダの不正ないわゆる「キリング（killing）」又は「破壊」、即ちトランスポンダからの商品コードの読取りの永久停止を実行することがより困難になることが、単純な態様で単純な手段を用いて達成される。この場合、これは、トランスポンダが状態変化によって初期状態から第１の安全状態にセットされ、このような状態変化が、保護された環境で実行されることにより達成される。この文脈において、保護された環境とは、限られた数の人しか初期状態から第１の安全状態への状態変化を実行する許可を与えられないということを意味すると理解されるべきであり、この状態変化の実行は、パスワード又は暗号キーによって保護され、保護された環境で実行されることが可能である。このような保護された環境は、例えば、販売時点管理（ＰＯＳ）端末（即ち、ユーザ又は顧客が、商品に有効な商品コードを有するトランスポンダと組み合わせられた商品を購入する即ちその代金を払うことができる販売端末又はキャッシュレジスタ）によって規定されてもよい。安全状態稼動区域は、この販売時点管理（ＰＯＳ）端末によって規定される。トランスポンダがこの端末を通過したことによって、即ち安全状態稼動区域を通じた転送によって、第１の安全状態にセットされたら、顧客は、トランスポンダを第２の安全状態にセットすることができ、このとき、無許可の人々による商品コードの読取りは阻止される。
【００１３】
本発明による解決策において、請求項２、９及び１３に記載の特徴がそれぞれ提供されると特に有利であることが分かった。従って、通信及び対話のための既存の可能性を利用することができる。
【００１４】
本発明による方法において、本方法の第１のステップが販売時点管理（ＰＯＳ）端末で実行されると特に有利であることが分かった。好適には、この場合、商品の販売又は支払及びトランスポンダの第１の安全状態への設定は、単一の局でしか起こらない。
【００１５】
本発明による方法において、前記トランスポンダが第１の安全状態にセットされる前記第１の状態変化が実行されると、前記トランスポンダの記憶部分への書込み保護は停止され、前記トランスポンダは、所望なら、前記第１の安全状態から、前記トランスポンダの記憶部分の書込み保護が稼動される第２の安全状態にセットされると、特に有利であることが分かった。従って、その結果、トランスポンダと着脱不能に組み合わせられる商品が、更に用いられることができるようになる。
【００１６】
本発明による解決策において、請求項４、１０及び１４に開示の特徴を追加でそれぞれ提供すると特に有利であることが分かった。これにより、不正な操作に対する信頼性があって効率的な防止が実現される。
【００１７】
更に、本発明による解決策において、請求項５、１１及び１５に開示の特徴を追加でそれぞれ提供すると特に有利であることが分かった。これは、トランスポンダからの商品コードの不正な読取りの永久防止を可能にする。
【発明を実施するための最良の形態】
【００１８】
本発明のこれらの及び他の側面は、以下で説明される実施例により明らかになり、これらの実施例を参照して詳細に説明される。
【００１９】
本発明は、以下で、図面に示される実施例に基づいて詳細に説明されるが、本発明はこれらに限定されるものではない。
【００２０】
図１は、トランスポンダ１０を示す。トランスポンダ１０は、通信局（図示せず）とのワイヤレス通信のために構成される。この場合は、トランスポンダ１０は、商品と組み合わせられるトランスポンダであり、該トランスポンダには、商品に関するデータが記憶され、このデータは例えば、商品の種類、販売価格、製造日、製造国及び有効期限等の特性に関するデータ、更に、トランスポンダ１０に固有の、従って有効なシリアル番号、即ち、特性識別データブロックである。記憶されたデータは、商品コードを構成し、この商品コードは、商品に有効であり、例えばいわゆるＥＰＣ（電子商品コード）又はいわゆるＥＡＮコードに従ってもよい。ＥＰＣコードは、世界中の全ての商品が有効な区別可能な態様で特徴付けられることができるようにする全部で９６ビットのデータワードに係る。しかし、トランスポンダ１０は、他の種類のアプリケーション用に構成されてもよい。
【００２１】
トランスポンダ１０は、集積回路１１を含む。トランスポンダ１０は、更に、誘導的に動作可能な転送手段２０も含む。容量的、電磁的又は光学的に動作する転送手段が、更に設けられてもよい。転送手段２０は、集積回路１１外に設けられる転送コイル２１と集積回路１１内で実現されるキャパシタ２２とにより構成されている。転送コイル２１は、集積回路１１の端子２３に接続されている。転送コイル２１及びキャパシタ２２は、通信局からトランスポンダ１０に転送されるべき少なくとも１つの信号の実際の周波数に対応する共振周波数を持つ共振回路を形成する。トランスポンダ１０へ転送されるべき信号は、この場合は、振幅変調された搬送波信号（例えば変調及び符号化された安全コマンドデータブロックＭＣＳＣＯＭＤＢ）である。しかし、他の種類の転送信号も可能である。
【００２２】
受信手段だけでなく伝送手段も形成する転送手段２０は、安全コマンドデータブロックＳＣＯＭＤＢを含む振幅変調及び符号化された安全コマンドデータブロックＭＣＳＣＯＭＤＢを受信するように構成される。振幅変調及び符号化された安全コマンドデータブロックＭＣＳＣＯＭＤＢは、通信システムによって生成されることができ、通信局によって作成されるフィールドによってワイヤレスでトランスポンダ１０へ転送されることができ、トランスポンダに作用する。この場合は、転送が誘導的に起こる。しかし、転送は、電磁気的に実行されてもよく、このとき、転送手段は電気的双極子として構成される。
【００２３】
トランスポンダ１０又は集積回路１１は、電源回路３０、クロック信号再生段３１及び復調段３２を含み、これらは全て端子２３に接続され、これら端子のそれぞれには、トランスポンダ１０により受信された信号が供給される。
【００２４】
電源回路３０は、加えられる信号に基づいてＤＣ供給電圧Ｖを生成するように構成され、この側面は、当業者にとって周知である。電源回路３０は、更に、いわゆる「パワーオンリセット」信号ＰＯＲを生成するように構成され、この信号は、トランスポンダ１０が適切なエネルギー量を受信して十分に高いＤＣ供給電圧Ｖが電源回路３０によって生成されるときに生成される。
【００２５】
クロック信号再生段３１は、加えられる信号を利用しながらクロック信号ＣＬＫを再生するように構成される。これも当業者に知られたステップである。このようなクロック信号再生段の代わりに、別個のクロック信号生成器が設けられてもよい。これは、ワイヤレス通信がＵＨＦ領域の又はマイクロ波領域の超短波で起こるときに特に有利である。
【００２６】
復調段３２は、振幅変調及び符号化された安全コマンドデータブロックＭＣＳＣＯＭＤＢを復調するように構成される。このような振幅変調及び符号化された安全コマンドデータブロックＭＣＳＣＯＭＤＢが復調段３２に適用されると、復調及び符号化された安全コマンドデータブロックＣＳＣＯＭＤＢが復調段３２により作成され、出力される。
【００２７】
復調段３２には、符号化された安全コマンドデータブロックＣＳＣＯＭＤＢが供給されることができる復号段３３が続き、この復号段３３により前記符号化データブロックが復号される。成功した復号の後、復号段３３は安全コマンドデータブロックＳＣＯＭＤＢを出力する。
【００２８】
ここまで説明された手段は、トランスポンダ１０の受信モードでアクティブになる。このような受信モードに加えて、トランスポンダは、トランスポンダ１０から通信局への伝送モード又は転送モードに適している。このために、トランスポンダ１０又は集積回路１１は、符号化段３４、符号化段３４に続く変調段３５、及び、変調段３５に接続された補助搬送波信号発生器３６を含む。変調段３５の出力は、端子２３に接続されており、従って、この場合は伝送手段を構成する転送手段２０に接続されている。符号化段３４は、種々の信号（例えばその出所が以下で詳細に説明される識別データＩＤ）を供給されることができる。符号化段３４は、識別データＩＤを符号化することができ、成功した符号化の後、符号化段３４が符号化識別データＣＩＤを出力する。符号化された識別データＣＩＤは、変調段３５に適用されることができる。補助搬送波信号発生器３６によって生成される補助搬送波信号ＳＣＳは、変調段３５にも適用されることができる。変調段３５は、符号化識別データＣＩＤを利用して補助搬送波信号ＳＣＳの振幅変調を実行するので、変調段３５は、振幅に関して変調されるとともに符号化もされた識別データＭＣＩＤを転送手段２０に供給し、このときこの転送手段２０は通信局への転送を与える。位相変調又は周波数変調が、振幅変調の代わりに実行されてもよい。
【００２９】
トランスポンダ１０又はトランスポンダ１０の集積回路１１は、マイクロコンピュータ５０を含む。マイクロコンピュータ５０の代わりに、配線による論理回路が設けられてもよい。マイクロコンピュータ５０は、パワーオンリセット信号ＰＯＲ及びクロック信号ＣＬＫ、更には安全コマンドデータブロックＳＣＯＭＤＢを供給されることができる。マイクロコンピュータ５０は、更に、識別データＩＤを出力するように構成される。
【００３０】
ＲＡＭ及びＲＯＭ又はＥＥＰＲＯＭを含み、当業者に良く知られた記憶手段６０は、マイクロコンピュータ５０と協動する。記憶手段６０は、複数の記憶部分、即ち、第１の安全状態情報を記憶するための記憶部分６２、第２の安全状態情報を記憶するための記憶部分６３、商品識別情報を記憶するための記憶部分６４、及び、暗号化結果情報を記憶するための記憶部分６５を有するアドレス可能メモリ６１を含む。
【００３１】
マイクロコンピュータ５０は、複数のシーケンス（特にプログラムルーチン）を制御することができるシーケンス制御手段５１も含む。コマンド認識手段５２、第１の状態変化手段５３、第２の状態変化手段５４、抑制手段５５及びコマンドデータブロック処理手段５６は、シーケンス制御手段５１によって制御されるようにマイクロコンピュータ５０によって実現される。
【００３２】
図２は、ルーチン、即ち、マイクロコンピュータ５０及びシーケンス制御手段５１により実行される方法のフローチャートを示す。本方法の実行は、トランスポンダ１０の処理の一般的な状況で考えられるべきである。トランスポンダ１０は、商品と組み合わせられ、商品の明白な識別コードを有する。この場合は、この識別コードは、識別コードを記憶するために設けられた記憶部分６４に記憶されるいわゆる電子商品コード（ＥＰＣ）である。ＥＰＣは、商品のバックトラッキング、即ち、その出所を保護することを可能にする役目を果たし、トランスポンダ１０との通信用の通信局により読み取られることができる。ＥＰＣに加えて、暗号化結果が、暗号化結果を記憶するために設けられたトランスポンダ１０又は集積回路１１の記憶部分６５に記憶され、前記暗号化結果は、キーによりＥＰＣに実行されるいわゆるData Encryption Standard（ＤＥＳ）に従う対称暗号化法により得られる。このような暗号化は、他の方法によって、例えばいわゆるAdvanced Encryption Standard（ＡＥＳ）に従って、実行されることもできることに注意されたい。
【００３３】
上記した商品（この場合はスポーツシューズである）は、第１の商品位置領域を構成するアウトレットショップ又は店にあり、顧客によって購入されることが可能である。この商品が顧客によって購入又は取得されると、商品は店の販売端末に持っていかれる。販売端末は、安全状態稼動区域を規定する。販売端末は、トランスポンダ１０との通信用の販売通信局を含み、この販売通信局は、安全状態稼動区域の範囲を規定する所与の交信距離を有する。続いて、購入された商品は、販売端末を通過させられ、店によって形成される第１の商品位置領域から、販売局の通信局を有する安全状態稼動区域を介して、販売端末の後ろに位置する店の領域を含む第２の商品位置領域に転送され、この第２の商品位置領域は、購入された商品が購入者によって持っていかれる可能性のある全ての他の領域も含み、従って購入者の家も含む。販売通信局と、購入者により購入された商品のトランスポンダ１０とは、販売端末による通過の間、図２に従う上記のルーチンが実行されるように通信動作を実行する。
【００３４】
ブロック２００で開始して、続いてブロック２０５で、コマンド認識手段５２を用いて、コマンドデータブロックが受信されたかどうかがチェックされる。この受信は、上記の受信モードの説明において説明されたものである。
【００３５】
このようなコマンドデータブロックが受信されたら、受信されたコマンドデータブロックは第１の状態変化手段５３に適用され、ルーチンがブロック２１５に続く。受信されなければ、ブロック２０５で、コマンドデータブロックの受信は再びチェックされる。
【００３６】
ブロック２１５において、コマンドデータブロックが安全準備コマンドデータブロックに係るものであるかどうかがチェックされる。コマンドデータブロックが安全準備コマンドデータブロックに係るものである場合には手順はブロック２２０に続き、そうでなければ、コマンドデータブロックは  第２の状態変化手段５４に適用され、ここで手順はブロック２３５に続く。
【００３７】
ブロック２２０において、ＥＰＣは販売通信局へ転送され、続いて、手順はブロック２２５に続く。販売通信局において、ＥＰＣは、前もって販売通信局に伝送されていて安全認証を与えられているキーで暗号化される。このような安全認証又はこのようなキーの取得は、商品を販売するための認証に結合される。しかし、この手順は、更に異なった方法でセットされてもよい。
【００３８】
ＥＰＣの転送は、必ずブロック２２０において起こらなければならないわけではなく、他のときに起こってもよく、例えば安全準備コマンドデータブロックの伝送前に既に起こっていてもよいことに注意されたい。
【００３９】
販売通信局において実行される暗号化の間、比較暗号化結果が得られて、トランスポンダ１０に適用される。ブロック２２５において、比較暗号化結果は、記憶部分６５において記憶される暗号化結果と比較される。２つの暗号化結果が対応するならば、手順はブロック２３０に続き、対応しなければ、この手順は新たにブロック２０５において開始される。対応しない暗号化結果の場合には手順が中断されてもよく、又は、異なった手順が実行されてもよいことに注意されたい。例えば、安全準備コマンドデータブロックの伝送は、所与の期間が経過した後にのみ繰り返されることができ、及び／又は所与の回数の安全準備コマンドデータブロックの繰返し伝送しか可能でないように構成されてもよい。
【００４０】
ブロック２３０において、第１の安全状態情報を記憶するための記憶部分６２のビットは、ロジック「１」（真）にセットされ、従って、トランスポンダは初期状態から第１の安全状態にセットされる。続いて、手順はブロック２０５に続く。第１の安全状態情報が複数のビットの形で記憶部分６２に記憶されてもよいことに注意されたい。
【００４１】
商品と、該商品に接続されていて、このとき第１の安全状態にあるトランスポンダ１０とは、例えば、購入後に顧客によって家に持ち帰られる。この場合は、商品と組み合わせられるトランスポンダ１０は、トランスポンダ１０が販売端末を通過する瞬間から第２の商品位置領域に存在し、従って第１の安全状態にセットされるように安全状態稼動区域を通じて転送される。所望なら、商品は顧客によって第２の安全状態にセットされることができる。第２の安全状態へのセッティングは、このセッティングを行うために設けられたホーム通信局によって実行され、このホーム通信局は、トランスポンダ１０と通信するように構成され、このとき安全コマンドデータブロックＳＣＯＭＤＢはトランスポンダ１０に適用される。図２に示されて上記で説明された手順又は方法に従って、安全コマンドデータブロックＳＣＯＭＤＢは、ブロック２０５の安全コマンドデータブロックＳＣＯＭＤＢの受信の後、ブロック２１５を介して第２の状態変化手段５４に適用され、手順はブロック２３５に続く。この場合、安全コマンドデータブロックＳＣＯＭＤＢが関係するので、ブロック２３５から、手順はブロック２４０に続く。ブロック２４０において、第１の安全状態情報用に設けられた記憶部分６２のビットがロジック１（真）にセットされたかどうかがチェックされる。この場合、手順はブロック２４５に続き、そうでなければ、手順はブロック２０５に続く。ブロック２４５において、第２の安全状態情報を記憶するための記憶部分６３のビットはロジック「１」（真）にセットされ、従って、トランスポンダ１０は第２の安全状態にセットされ、手順はブロック２０５に続く。
【００４２】
ブロック２３５における受信されたコマンドデータブロックの試験が、関係する安全コマンドデータブロックＳＣＯＭＤＢがないことを明らかにするならば、手順はブロック２１０に続く。ブロック２１０において、第２の安全状態情報のための記憶部分６３のビットがロジック１（真）にセットされたかどうかが抑制手段５５においてチェックされる。そうでない場合、手順は、受信されたコマンドデータブロックがコマンドデータブロック処理手段５６へ転送されるブロック２５０に続く。ブロック２５０において、受信されたコマンドデータブロックはコマンドデータブロック処理手段５６によって更に処理され、この手順は、ブロック２０５における処理の終結の後、続けられる。
【００４３】
ブロック２１０の肯定的な決定の場合、手順はブロック２０５に続く。従って、コマンドデータブロック処理手段５６に実行されるデータブロックがなく、特に、ＥＰＣを読み取るためのコマンドデータブロックがなく、従って、そこで実行可能な受信されたコマンドデータブロックがなく、トランスポンダ１０が最早応答せず実質的に停止されるという結果が達成される。
【００４４】
抑制手段５５がコマンドデータブロックの受信を停止させるように構成されてもよいことに注意されたい。
【００４５】
説明された実施例のトランスポンダ１０は、ホーム通信局によって第２の安全状態にセットされる。第２の安全状態へのこのようなセッティングが更に販売通信局によって実行されることができることに注意されたい。
【００４６】
本発明による第２の実施例は、貨物を収容して運搬するための貨物用コンテナ等の商品と分離不能に組み合わせられるトランスポンダ１０に関する。本実施例においては、貨物用コンテナは、南アメリカからヨーロッパまで品物を輸送するために会社Ａによって借りられる。このとき容器は第１の商品位置領域に位置している。このとき、貨物用コンテナと組み合わせられるトランスポンダ１０は、貨物データ及び輸送データの形式の顧客データを記憶し、顧客データを記憶するための記憶部分は、トランスポンダ１０の集積回路１１のアドレス可能メモリ６１に設けられている。顧客データの不正な修正を防止するために、顧客データは、永久に保護されているか又は上書き又は修正に対して「ロック」されている。このために、記憶部分６３に記憶される第２の安全状態情報は、抑制手段５５と協働して、上書き防止のために供給される記憶部分６３のビットがロジック「１」（真）にセットされることにより、このような上書きを防止する。
【００４７】
貨物用コンテナの再使用のためには、分離不能に取り付けられたトランスポンダ１０の顧客データの永久書込み防止をリセットすることが必要である。このようなリセットは、図２の手順の説明に従って上述されたのと類似した態様で実行されることができる。
【００４８】
貨物用コンテナに係る場合には、第１の実施例のような安全認証を伴う販売位置の代わりに、税関当局又は他の権限のある機関が、顧客データのテストを実行することと、安全状態稼動区域の書込み保護の停止を実行することとが可能な安全状態稼動位置として働く。ヨーロッパへの到着に際し、輸送された貨物用コンテナは、このような税関当局に提出され又はこのような税関当局に承認される。
【００４９】
書込み保護の停止は、第１の状態変化手段５３によって実行される。図２の手順の既に説明された部分が、ブロック２０５、２１５、２２０、２２５及び２３０において実行され、追加でブロック２３０において、第２の安全状態情報のために設けられるメモリ部分６３のビットがロジック「０」（偽）にセットされる（消去に対応する）。このように、貨物用コンテナのトランスポンダ１０は、第１の安全状態にセットされる。税関当局が放出した貨物用コンテナは、続いてその目的地（ヨーロッパの会社Ｂ）に輸送される。これは、コンテナが第２の商品位置領域へ移動されることを意味する。次に、今度は会社Ｂが、荷降ろしされた貨物用コンテナを品物の他の配送のために再び用いることができる。なぜなら、貨物用コンテナと分離不能に組み合わせられたトランスポンダ１０は、再び、顧客データを書き込むために設けられた記憶部分に会社Ｂの顧客データを書き込む準備ができているからである。トランスポンダ１０は、続いて安全コマンドデータブロックＳＣＯＭＤＢを伝送することによって、このデータを不正な修正に対して保護することができる。
【００５０】
貨物用コンテナに関する実施例について説明された手順は、商品と分離不能に組み合わせられたトランスポンダを備えた他の商品、例えば、レンタルデータがトランスポンダに記憶され、続いて操作から保護されるレンタルビデオカセット等のために用いられることもできることに注意されたい。サービスの再利用の際にトランスポンダを再稼動することは、レンタルアウトレットでトランスポンダを第１の安全状態にセットすることにより実行可能である。このような第１の安全状態へのセッティングは、貨物用コンテナに永久的に組み合わせられたトランスポンダを影響する方法について上述されたように実行される。続いて、レンタルデータは、第２の安全状態にセットすることによって修正され、操作から守られることができる。
【図面の簡単な説明】
【００５１】
【図１】本発明の実施例によるトランスポンダ及びこのトランスポンダの集積回路の要部のブロック図の形式の概略表示である。
【図２】本発明による方法が実行されるときに、図１のトランスポンダにおいて又はトランスポンダの集積回路において実行される手順のフローチャートを示す。
【図１】
2005524179.tif 000003
【図２】
2005524179.tif 000004
【国際調査報告】
2005524179.tif 000005
2005524179.tif 000006
2005524179.tif 000007